(57)【特許請求の範囲】
【請求項１】
検知エリア内で人体を検知するとともに、その人体の移動方向を検知する検知手段、人体の各移動方向に対応した報知音を記憶する記憶手段、前記記憶手段に記憶された報知音を再生する再生手段、外部よりワイヤレス信号で送信される設定確認信号を受信する受信手段、及び前記検知手段が人体を検知するとその移動方向に応じた報知音を再生手段により再生させるとともに、前記受信手段が設定確認信号を受信すると前記記憶手段に記憶された各移動方向の報知音を前記再生手段により音声で出力させる制御手段を有するスピーカ本体と、前記記憶手段に記憶された各移動方向の報知音を前記再生手段から音声で出力させるための操作を行う第１の操作手段、第１の操作手段の操作に応じて外部へワイヤレス信号にて設定確認信号を送信する送信手段を有するリモコン設定器とを備え、上記記憶手段には、報知音をそれぞれ記憶する記憶ブロックが複数設けられ、各記憶ブロックに報知音を録音させる録音手段と、各記憶ブロックに記憶された報知音の中から各移動方向に対応して再生する報知音を設定する設定手段とをスピーカ本体に設けるとともに、上記リモコン設定器に、上記記憶手段の個別の記憶ブロックを指定して、当該記憶ブロックに記憶された報知音を強制的に再生させるための操作を行う第２の操作手段を設け、送信手段は、第２の操作手段の操作に応じて外部へワイヤレス信号にて報知音再生信号を送信させており、上記制御手段は、受信手段の受信した報知音再生信号に基づいて指定された記憶ブロックの報知音を再生手段により再生させることを特徴とする人体検知機能付スピーカ装置。
【発明の詳細な説明】
【０００１】
【発明の属する技術分野】
本発明は、人体検知機能付スピーカ装置に関するものである。
【０００２】
【従来の技術】
従来より、スーパーマーケット、コンビニエンスストア、飲食店などの店舗の出入口近傍に２個の人感センサを人の移動方向に沿って配置し、２個の人感センサが人体を感知したタイミングから人の移動方向（進入方向又は退出方向）を判別し、その移動方向に対応した音を出力させる人体検知機能付スピーカ装置が提供されている。
【０００３】
このような人体検知機能付スピーカ装置では、進入時の報知音と退出時の報知音とが１音ずつ登録されているが、出入口に対して機器を左右何れの側に設置するかによって、進入方向又は退出方向となる移動方向が逆転するため、移動方向の正逆を反転させるスイッチを設け、このスイッチを用いて進入時及び退出時の報知音を出力する方向と実際の方向とを一致させている。
【０００４】
【発明が解決しようとする課題】
上記構成の人体検知機能付スピーカ装置では、人体の検知時のみ報知音を出力するようになっているため、報知音の種類などの設定を確認したい場合、その都度人体を検知させて報知音を出力させなければ、報知音の設定を確認することができず、確認作業がしにくいという問題があった。
【０００５】
本発明は上記問題点に鑑みて為されたものであり、その目的とするところは、報知音などの設定状態を容易に確認できる人体検知機能付スピーカ装置を提供することにある。
【０００６】
【課題を解決するための手段】
上記目的を達成するために、請求項１の発明では、検知エリア内で人体を検知するとともに、その人体の移動方向を検知する検知手段、人体の各移動方向に対応した報知音を記憶する記憶手段、前記記憶手段に記憶された報知音を再生する再生手段、外部よりワイヤレス信号で送信される設定確認信号を受信する受信手段、及び前記検知手段が人体を検知するとその移動方向に応じた報知音を再生手段により再生させるとともに、前記受信手段が設定確認信号を受信すると記憶手段に記憶された各移動方向の報知音を再生手段により音声で出力させる制御手段を有するスピーカ本体と、記憶手段に記憶された各移動方向の報知音を再生手段から音声で出力させるための操作を行う第１の操作手段、第１の操作手段の操作に応じて外部へワイヤレス信号にて設定確認信号を送信する送信手段を有するリモコン設定器とを備え、上記記憶手段には、報知音をそれぞれ記憶する記憶ブロックが複数設けられ、各記憶ブロックに報知音を録音させる録音手段と、各記憶ブロックに記憶された報知音の中から各移動方向に対応して再生する報知音を設定する設定手段とをスピーカ本体に設けるとともに、上記リモコン設定器に、上記記憶手段の個別の記憶ブロックを指定して、当該記憶ブロックに記憶された報知音を強制的に再生させるための操作を行う第２の操作手段を設け、送信手段は、第２の操作手段の操作に応じて外部へワイヤレス信号にて報知音再生信号を送信させており、上記制御手段は、受信手段の受信した報知音再生信号に基づいて指定された記憶ブロックの報知音を再生手段により再生させることを特徴とし、リモコン設定器の第１の操作手段を操作すると、送信手段がワイヤレス信号にて設定確認信号を送信し、この設定確認信号を受信したスピーカ本体では、制御手段が、設定確認信号に応じて各移動方向の報知音を再生手段により音声で出力させているので、人体を検知していない状態でも報知音を強制的に再生でき、リモコン設定器を用いて離れた場所から報知音を音声で容易に確認できる。
【０００７】
しかも、録音手段を用いて記憶手段の各記憶ブロックに所望の報知音を録音させることができ、且つ設定手段を用いて各記憶ブロックに録音させた報知音の中から所望の報知音を各移動方向に対応して設定できるから、使用状況に応じた報知音を再生することができる。
【０００８】
そのうえ、リモコン設定器の第２の操作手段を操作すると、送信手段がワイヤレス信号にて報知音再生信号を送信させ、この報知音再生信号を受信したスピーカ本体では、制御手段が、報知音再生信号に応じて指定された記憶ブロックの報知音を強制的に再生しているので、リモコン設定器を用いて離れた場所から記憶手段の各記憶ブロックにどのような報知音が録音されているかを容易に確認できる。
【０００９】
【発明の実施の形態】
本発明の実施の形態を図１乃至図１２を参照して説明する。本実施形態の人体検知機能付スピーカ装置は、例えばスーパーマーケット、コンビニエンスストア、飲食店などの店舗の出入口に設置され、人体の出入りを検知して、報知音を出力するものであり、人体の移動方向に応じて報知音を異ならせることで、人体の進入及び退出を報知したり、店舗内の案内や販促用のメッセージを流したり、さらには侵入者に対して警告するといった用途に用いられる。
【００１０】
この人体検知機能付スピーカ装置は、スピーカ本体１０と、造営面に固定されるとともにスピーカ本体１０が着脱自在に取り付けられる取付ベース２３と、リモコン設定器５０とで構成される。
【００１１】
スピーカ本体１０は、図１に示すように、マイクロコンピュータからなる制御部１１（制御手段）と、例えば店舗の出入口に人体の移動方向に沿って配置され、人体から放射される熱線を検知することによって検知エリア内の人の存否を検出する焦電センサのような２個の人感センサ１２ａ，１２ｂ（検知手段）と、本体に内蔵されたマイクＭＣ１と、外部マイク（図示せず）からの信号が入力されるマイク入力部ＭＣ２と、ＡＶ機器からの信号が入力されるライン入力部ＡＶＸと、内蔵のマイクＭＣ１、マイク入力部ＭＣ２又はライン入力部ＡＶＸを介して入力された音声信号を音声メモリ１４（記憶手段）に録音するとともに、音声メモリ１４に記録されている音声信号を再生してスピーカＳＰから出力させる録音手段及び再生手段としての録再回路１３と、外部よりワイヤレス信号で送信された信号を受信する受信部１５（受信手段）と、人体検知時に接点信号を出力する出力回路１６と、各種の操作を行うための操作部１７と、主電源部１８と、補助電源部１９とで構成される。
【００１２】
また、リモコン設定器５０は、スピーカ本体１０の動作設定を行うための操作部５２（第１及び第２の操作手段）と、外部へワイヤレス信号を送信する送信部５３（送信手段）と、マイクロコンピュータからなり、操作部５２の操作入力に応じた信号を送信部５３からワイヤレス信号にて送信させる制御部５１とを備える。尚、リモコン設定器５０から送信されるワイヤレス信号としては、赤外線のような光信号や電波によるものなど、遠隔操作に利用できる信号であればどのような信号でも良い。
【００１３】
ここで、スピーカ本体１０、取付ベース２３及びリモコン設定器５０の構造について以下に説明する。
【００１４】
リモコン設定器５０は図３に示すような外観形状を備える。リモコン設定器５０は、片手で持つことができる程度の大きさに形成された扁平な器体６０を備え、器体６０の上面には送信部５３が配置され、前面には各種の設定操作を行うための操作キーＫ０〜Ｋ１２、Ｋ２１〜Ｋ２４、Ｋ３１〜Ｋ３７が配置されており、これらの操作キーＫ０…により上述の操作部５２が構成される。
【００１５】
なお、操作キーＫ０の釦には「終了／０」という文字が表示され、操作キーＫ１〜Ｋ１２の釦にはそれぞれ１〜１２の数字が表示されている。操作キーＫ２１，Ｋ２２の組、操作キーＫ２３，Ｋ２４の組は、それぞれ、後述するパターンＰ１，Ｐ２の報知音を設定する釦であり、操作キーＫ２１，Ｋ２２の下側には「Ｐ１」という文字が、操作キーＫ２３，Ｋ２４の下側には「Ｐ２」という文字が表示されている。また、操作キーＫ２１，Ｋ２３は後述する方向Ｄ１に対応した報知音、操作キーＫ２２，Ｋ２４は後述する方向Ｄ２に対応した報知音を設定する釦であり、その釦にはそれぞれ「Ｄ１」「Ｄ２」という文字が表示されている。操作キーＫ３１はモード切替用の操作釦であり、その釦には「入／切」という文字が表示され、釦の上側には「センサ」という文字が表示される。操作キーＫ３２は、人体を検知すると即座に報知音を出力させる機能（この機能を連続鳴動機能と言う）をオン／オフするための釦であり、操作キーＫ３２の釦には「入／切」という文字が表示され、釦の上側には「連続検知」という文字が表示されている。操作キーＫ３３は出力する報知音のパターンをＰ１又はＰ２に切り替えるための釦であり、その釦には「Ｐ１／Ｐ２」という文字が表示され、釦の上側には「出力パターン」という文字が表示される。操作キーＫ３４，Ｋ３５は音量調節用の操作釦であり、音量を大きくするための操作キーＫ３４には「△」が、音量を小さくするための操作キーＫ３５には「▽」が表示されている。また、操作キーＫ３６は確認操作用、Ｋ３７は登録操作用の釦であり、それぞれの釦には「確認」「登録」という文字が表示されている。
【００１６】
一方、スピーカ本体１０は図４乃至図６に示すような外観形状を有しており、スピーカ本体１０のケース２０は天井面や壁面などの造営面に固定される取付ベース２３に着脱自在に取り付けられる。
【００１７】
ケース２０は、合成樹脂により前面が開口した箱状に形成されたボディ２１（図９及び図１０参照）と、ボディ２１の開口部分の大部分を覆うようにボディ２１に被着される合成樹脂製のカバー２２とを組立ねじ（図示せず）で結合することにより形成される。ボディ２１の開口部分のうちカバー２２により覆われていない部分（カバー２２の下部中央）は、熱線に対して透過性を有する合成樹脂（例えば高密度ポリエチレン樹脂）で形成された保護カバー２４で覆われており、この保護カバー２４の裏側に２個の人感センサ１２ａ，１２ｂを保持する人感センサユニット２５が収納されている。
【００１８】
カバー２２の中央部の後面側にはスピーカＳＰが配設されており、右側下部の後面側にはプリント基板よりなる回路基板３０に実装されたマイクＭＣ１が配置されている（図９参照）。また、カバー２２にはスピーカＳＰと対向する部位に多数の音孔２２ａがマトリクス状に貫設され、さらにマイクＭＣ１と対向する部位にも音孔２２ｂが貫設されている。
【００１９】
ボディ２１の前面側には、上述した制御部１１、録再回路１３、音声メモリ１４、補助電源部１９などの回路部品や、通電時に点灯する通電表示用の発光ダイオードＬＤ１や、動作モードに応じて発光色が変化する動作モード表示用の発光ダイオードＬＤ２や、録音レベルを表示するための発光ダイオードＬＤ３や、受信部１５を構成するフォトダイオードのような受光素子１５ａが実装されたプリント基板よりなる回路基板２６が配置されており、回路基板２６と上述した回路基板３０との間はケーブル３７を介して電気的接続が為されている。なお、各発光ダイオードＬＤ１〜ＬＤ３の発光は、カバー２２に設けた透光窓３５を通して視認できるようになっている。また、カバー２２には受光素子１５ａと対向する部位に受光窓３６が配設されている。受光窓３６はワイヤレス信号に対して透光性を有しており、リモコン設定器５０から送信された信号を受光素子１５ａが受光窓３６を通して受信できるようになっている。
【００２０】
また回路基板２６の右側縁には、スライドスイッチからなるモード切替スイッチＳ１と、タクトスイッチからなるパターン切替スイッチＳ２、音量アップスイッチＳ３および音量ダウンスイッチＳ４と、マイク入力部ＭＣ２と、ライン入力部ＡＶＸとが配設されている。モード切替スイッチＳ１の操作摘み３１および各スイッチＳ２〜Ｓ４の操作釦３２〜３４はケース２０の右側面に露設されている。またマイク入力部ＭＣ２及びライン入力部ＡＶＸもケース２０の右側面に設けた開口窓から露出しており、外部マイク又はＡＶ機器側のプラグを着脱自在に接続できるようになっている。ここにおいて、モード切替スイッチＳ１はスピーカ本体１０の動作モードを切り替えるためのスイッチであり、操作摘み３１を上側の切替位置にスライドさせると人感センサ１２ａ，１２ｂの検知信号に応じて動作し（このモードを通常モードと言う）、中央の切換位置にスライドさせると人感センサ１２ａ，１２ｂの検知信号に関係なく録再回路１３が最後に出力した報知音をスピーカＳＰから出力させ（このモードを再生モードと言う）、下側の切換位置にスライドさせると内蔵のマイクＭＣ１、マイク入力部ＭＣ２又はライン入力部ＡＶＸを通じて入力された音声信号を録再回路１３が音声メモリ１４に録音する（このモードを録音モードと言う）。また、パターン切替スイッチＳ２は移動方向に応じた報知音の組合せを切り替えるためのスイッチであり、音量アップスイッチＳ３および音量ダウンスイッチＳ４は音量調節用のスイッチである。
【００２１】
一方、取付ベース２３は前面が開口した箱状に形成されており、上壁の前端縁にはケース２０を取り付けるための２つの取付片２３ｄ，２３ｄ（図６および図１１参照）が上方に延設されており、左右の両側壁の下部内側にはケース２０を取り付けるための係合爪２３ｅ，２３ｅが突設されている。一方、ボディ２１の背面には取付ベース２３の前端側が嵌合する凹所２１ａが凹設され、この凹所２１ａの内面に上記取付片２３ｄ，２３ｄが挿入係止される２つの挿入孔２１ｂ，２１ｂが形成されている。また、ボディ２１の下部の左右両側には、ボディ２１（すなわちケース２０）を取付ベース２３に着脱自在に取り付けるための２つの取付部材３８，３８が取着されている。ここにおいて、取付部材３８は、一端部に上記係合爪２３ｅの後面に係合可能な係止爪３８ｂを有し他端部がボディ２１に固定されて厚み方向に撓み可能な逆Ｊ字状の撓み片３８ａと、撓み片３８ａの中間部から撓み片３８ａの厚み方向に延出されボディ２１の後壁の前面側で後壁に沿ってスライド自在に移動可能なスライド片３８ｃと、スライド片３８ｃの先端部から下方に延長された操作片３８ｄとを備えている。一方、ボディ２１は、後壁に撓み片３８ａが挿通される貫通孔２１ｃが形成され、両側壁にスライド片３８ｃが挿通される挿通孔２１ｄが形成されている。而して、ケース２０を取付ベース２３に取り付ける際には、取付ベース２３の取付片２３ｄ，２３ｄを挿入孔２１ｂ，２１ｂに挿入して、ボディ２１の両側面から露出した操作片３８ｄ，３８ｄを互いに近づく向きに押し込んだ状態で取付ベース２３の前部をケース２１の後面の凹部２１ａに嵌め込み、その後で操作片３８ｄ，３８ｄから手を離せば係止爪３８ｂ，３８ｂが取付ベース２３の係合爪２３ｅ，２３ｅに係止されることになる。これに対して、取付ベース２３からケース２０を取り外す際には、操作片３８ｄ，３８ｄを互いに近づく向きに押し込んで係止爪３８ｂ，３８ｂと係合爪２３ｅ，２３ｅとの係合状態を解除してケース２０の下部を手前にずらせばよい。
【００２２】
また取付ベース２３の中央部には、商用電源からの電源電線１００を挿通する矩形状の電線挿通孔２３ｃが形成され、電線挿通孔２３ｃの上下両側には２つの取付孔２３ａ，２３ｂが形成されている。上側の取付孔２３ａの形状はだるま孔状であって、下部の直径が上部の直径よりも大きく形成され、下部は取付ねじの頭部が挿通可能な直径に形成され、上部は取付ねじの頭部が抜けない直径に形成されている。したがって、取付ベース２３を造営面に取り付ける際には、造営面に取り付けた取付ねじの頭部を取付孔の下部に通した後に、取付ベース２３を下方にスライドさせて取付ねじの頭部を取付孔２３ａの上部に位置させると、取付ベース２３が造営面に仮止めされ、この状態で取付ベース２３の中央下部に設けられた取付孔２３ｂを通して取付ねじを造営面に螺合させれば、取付ねじにより取付ベース２３が造営面に固定される。
【００２３】
ところで、図１２は主電源部１８及び補助電源部１９からなる電源部の回路ブロック図であり、主電源部１８では電源スイッチＳＷ及びヒューズＦを介して入力された交流電源ＡＣの電源電圧をトランスＴｒにより降圧し、全波整流器ＤＢで全波整流した後、三端子レギュレータなどの電源ＩＣを用いた５Ｖ電源回路１８ａで安定化している。主電源部１８は取付ベース２３の前面側に配置され、ケーブル２７を介して回路基板２６に電気的に接続されており、ケース２０が取付ベース２３に保持されている状態では、主電源部１８からケーブル２７を介して回路基板２６に動作電源が供給されている。ケーブル２７の両端にはコネクタ２７ａが結線されており、主電源部１８及び回路基板２６にそれぞれ設けた受け側のコネクタ２８，２８に対してコネクタ接続されている。なお、主電源部１８の電源スイッチＳＷは押釦スイッチからなり、ケース２０を取付ベース２３に取り付けている状態では、電源スイッチＳＷの押釦がケース２０によって取付ベース２３側に押さえつけられて導通し、主電源部１８に通電されるようになっている。
【００２４】
補助電源部１９は、電池Ｂ（バッテリ）を電源として約５Ｖの一定電圧を生成する５Ｖ電源部１９ａを有しており、ケース２０を取付ベース２３から取り外して使用する際には、回路基板２６と主電源部１８との間を接続するケーブル２７を外して、ケース２０を取付ベース２３から取り外した後、ケース２０（ボディ２１）の後面側に設けた電池ボックス２９に電池Ｂを取り付けて、５Ｖ電源部１９ａにより電池Ｂを電源として一定電圧を生成させ、制御部１１などに動作電源を供給している。尚、ケース２０を取付ベース２３から取り外すと、電源スイッチＳＷの押釦を押す力がなくなって、電源スイッチＳＷがオフになるので、電源の切り忘れを防止できる。
【００２５】
次に、この人体検知機能付スピーカ装置の動作について説明する。図２は人感センサユニット２５に保持された２個の人感センサ１２ａ，１２ｂの検知エリアを示しており、両人感センサ１２ａ，１２ｂの検知エリアＡ１，Ａ２は、人体Ｍ１，Ｍ２の移動方向（図２中の上下方向）において前後に並んで配置される。人体Ｍ１が図２中の下側から上側に向かって移動する場合（この方向を方向Ｄ１と言う）、人体Ｍ１は人感センサ１２ａの検知エリアＡ１を通過して人感センサ１２ｂの検知エリアＡ２内に進入するので、人感センサ１２ａ→人感センサ１２ｂの順番で人体Ｍ１を検知する。一方、上述とは逆に人体Ｍ２が図２中の上側から下側に向かって移動する場合（この方向を方向Ｄ２と言う）は人感センサ１２ｂ→人感センサ１２ａの順番で人体Ｍ２を検知する。このように、人体の移動方向Ｄ１，Ｄ２に応じて２個の人感センサ１２ａ，１２ｂで人体を感知するタイミングが異なるため、スピーカ本体１０の制御部１１では、両人感センサ１２ａ，１２ｂからの人体検知信号に基づいて人体の移動方向を判別することができ、各移動方向Ｄ１，Ｄ２にそれぞれ対応付けられた報知音を録再回路１３により再生させ、スピーカＳＰから出力させている。
【００２６】
ところで、音声メモリ１４には報知音を記憶するための複数の領域（以下、ボックスと言う）が用意され、各ボックスには０〜１２までの連続したボックス番号が割り当てられている。表１は各ボックスに記憶された報知音を示しており、０番のボックスには何も音が録音されておらず（無音）、１番から４番までのボックスには「いらっしゃいませ」「ありがとうございました」「ピンポン」「ポロロン」といった４種類の報知音が予め録音されている。なお出荷時には５番から１２番までのボックスに報知音が録音されておらず、ユーザ側で所望の報知音を録音させることができる。
【００２７】
【表１】
0003788366.tif 000002
【００２８】
ここで、所望の報知音を録音する方法について説明する。一般に、スピーカ本体１０は天井や壁面などの高所に設置されて使用されるので、報知音を録音する際には取付ベース２３からケース２０を取り外し、録音作業のやり易い場所に移動させて録音を行う。なお、ケース２０を取付ベース２３から取り外して使用する際は、主電源部１８と回路基板２６との間を接続するケーブル２７を外し、ケース２０の後面側に設けた電池ボックス２９に電池Ｂを取り付け、電池Ｂを電源として動作させる。
【００２９】
報知音を録音する際には、先ずモード切替スイッチＳ１の操作摘み３１を下側の切換位置にスライドさせて動作モードを録音モードに切り替える。尚、上述のように発光ダイオードＬＤ２は動作モードに応じて発光色が変化し、通常モードでは赤色、再生モードではオレンジ色、録音モードでは緑色で点灯する。
【００３０】
ここで、録再回路１３に音声信号を入力する方法としては、内蔵のマイクＭＣ１で音声を電気信号に変換して入力する方法、外部マイクからの音声信号をマイク入力部ＭＣ２を介して入力する方法、ＡＶ機器からの音声信号をライン入力部ＡＶＸを介して入力する方法の３通りの方法がある。マイク入力部ＭＣ２又はライン入力部ＡＶＸにプラグが接続されていなければ、内蔵のマイクＭＣ１からの音声信号が録再回路１３に入力される。一方、マイク入力部ＭＣ２又はライン入力部ＡＶＸにプラグが接続されると、マイクＭＣ１からの入力が自動的に切り離されて、外部マイク又はＡＶ機器からの音声信号がマイク入力部ＭＣ２又はライン入力部ＡＶＸを通じて録再回路１３に自動的に入力され、さらに入力された音声信号がスピーカＳＰから出力されるようになっている。
【００３１】
動作モードが録音モードに切り替えられると、録再回路１３に内蔵されたレベルメータ（図示せず）が動作を開始し、入力信号の信号レベルを検出して、発光ダイオードＬＤ３の表示色で信号レベルを表示するようになっている。発光ダイオードＬＤ３は、入力信号の音量が小さい場合は黄色、最適であれば緑色、大きい場合は赤色で点灯するようになっており、入力信号の音量の大小を視覚的に確認することができる。而してユーザが、上述した３通りの方法の何れかで録音したい音（音声メッセージやメロディ音など）を入力して、発光ダイオードＬＤ３の発光色を見ながら、入力信号の音量を調整して録音レベルを最適値に設定した後、リモコン設定器５０の操作キーＫ５〜Ｋ１２により録音したいボックス番号を入力すると、制御部５１が送信部５３からボックス番号を示す信号を送信させる。この時、スピーカ本体１０の受信部１５がリモコン設定器５０から送信された信号を受信し、制御部１１が受信信号に基づいて発光ダイオードＬＤ２を１秒周期で５秒間緑色で点滅させた後、発光ダイオードＬＤ２を緑色点灯させるとともに、録再回路１３の録音動作を開始させる。その後、ユーザがリモコン設定器５０の操作キーＫ０を押操作すると、制御部５１は送信部５３から録音動作を終了させる信号を送信させ、スピーカ本体１０では受信部１５がこの信号を受信して、制御部１１が録再回路１３の録音動作を終了させ、音声メモリ１４の指定されたボックスに音声信号を記録させる。
【００３２】
ここで、発光ダイオードＬＤ２の点滅中に別のボックス番号に対応した操作キーＫ５〜Ｋ１２が押操作された場合は、後に押された操作キーＫ５〜Ｋ１２を優先して、キー操作に応じてリモコン送信器５０から送信された信号を受信した時点から５秒間、制御部１１が発光ダイオードＬＤ２を点滅させた後、後に押された操作キーで指定されたボックスに、入力された音声信号を録音させる。また、発光ダイオードＬＤ２が点灯状態に切り替わった後に何れかの操作キーＫ５〜Ｋ１２が押された場合、そのキー入力は無視する。なお、各ボックスに録音可能な音声信号の時間（録音可能時間）は予め決められており、録音動作を開始してからリモコン設定器５０の操作キーＫ０が押されるまでの間にこのボックスに録音可能な時間が経過すると、制御部１１は録再回路１３の録音動作を終了させるとともに、スピーカＳＰから警告音を出力させる。
【００３３】
ところで、録音するボックスを指定する際に操作キーＫ０〜Ｋ４が押された場合、０番及び１番〜４番までのボックスは固定音用であり、ユーザ側で録音できないため、制御部１１は録再回路１３を用いてスピーカＳＰから警告音を出力させる。また、録音モードに切り換えられた状態で数字を表す操作キーＫ０〜Ｋ１２以外のキーが押操作された場合にはその入力を無視し、録再回路１３を用いてスピーカＳＰから警告音を出力させる。またリモコン設定器５０には、ユーザ側で録音可能な５番から１２番までのブロック（記憶ブロック）の録音内容を消去するキーが用意されておらず、先に録音した音声信号を消去したい場合はそのブロックに上書きすることで音声信号を消去すれば良い。
【００３４】
上述のように本実施形態の人体検知機能付スピーカ装置は所望の報知音を録音する機能を有し、この録音機能を利用してお店の雰囲気に合わせた音声や音楽、建物内の案内用の音声、警戒監視用の音声などをスピーカ６から出力させることも可能であり、多用途に展開でき、設置場所も建物の出入口だけでなく、建物内に設定することや屋外で設置することも可能である。なお、メーカ側で想定される使用状況に合わせた音声メッセージ（日本語および外国語による挨拶や警告）、効果音（小鳥のさえずりや波の音といった自然の音や鈴、鐘の音など）、メロディ音、警報音及び呼出音を録音したコンパクトディスクを用意し、このコンパクトディスクを出荷時に添付しておけば、このコンパクトディスクに録音された音をコンパクトディスクプレイヤーで再生し、ライン入力部ＡＶＸを通じて録再回路１３に入力させることで、コンパクトディスクに録音された音の中から所望の音を報知音として録音させることができ、汎用性が高くなる。
【００３５】
また、このスピーカ本体１０は天井や壁面などの造営面に設置されて使用されるため、頻繁に行う設定操作を本体側で行うのは困難であるから、リモコン設定器５０を用いて各種の設定操作を行うようにしている。
【００３６】
ここで、リモコン設定器５０を用いて、音声メモリ１４の１２個のボックスに登録された報知音の中から人体検知時に再生させる報知音の組合せを選択する方法について説明する。本実施形態では、人体が方向Ｄ１に移動する時の報知音と方向Ｄ２に移動する時の報知音とを１つの組（パターン）として複数パターン（本実施形態では例えば２パターン）選択できるようになっており、２つのパターンをそれぞれパターンＰ１、パターンＰ２と呼ぶ。
【００３７】
例えばパターンＰ１の方向Ｄ１における報知音として７番のボックスに録音された報知音を選択する場合、ケース２０を取付ベース２３に取り付けている状態でリモコン設定器５０の操作キーＫ３１を押すと、送信部５３から動作モードを通常モードに切り替える信号が送信され、この信号を受けてスピーカ本体１０の制御部１１が動作モードを通常モードに切り替えるとともに、発光ダイオードＬＤ２を赤色で点灯させる。その後、リモコン設定器５０の操作キーＫ２１を押すと、送信部５３からパターンＰ１の方向Ｄ１を指定する信号が送信され、この信号を受けてスピーカ本体１０の制御部１１は内部タイマ（図示せず）のカウント動作を開始させる。そして、内部タイマによるカウント時間（例えば５秒）のカウント動作が終了するまでの間に、選択するボックス番号（７番）に対応した操作キー（Ｋ７）が押されると、送信部５３から７番のボックス番号を指定する信号が送信され、この信号を受けてスピーカ本体１０の制御部１１は内部タイマのカウント動作をリセットして再度開始させる。その後、内部タイマによるカウント時間（例えば５秒）のカウント動作が終了するまでの間に、リモコン設定器５０の操作キーＫ３７が押されると、送信部５３から報知音を登録する信号が送信され、この信号を受けて設定手段たるスピーカ本体１０の制御部１１は指定されたボックスに録音された報知音をスピーカＳＰから出力させるとともに、この報知音をパターンＰ１の方向Ｄ１における報知音として設定する。ここで、制御部１１の内部タイマがカウント動作を終了するまでの間にリモコン設定器５０からの信号送信がなければ、報知音の選択処理を終了する。また、指定されたボックスに報知音が録音されていない場合や０番のボックスが指定された場合には報知音が無音になり、その方向に移動する人を検知しても報知音が出力されなくなる。なお、他の報知音についても上述と同様の手順で選択することができる。表２及び表３は報知音の設定例を示しており、表２に示す例ではパターンＰ１が選択されている場合に方向Ｄ１に人体が移動していれば報知音ａを、方向Ｄ２に人体が移動していれば報知音ｂを出力させ、パターンＰ２が選択されている場合に方向Ｄ１に人体が移動していれば報知音ｃを、方向Ｄ２に人体が移動していれば報知音ｄを出力させる。
【００３８】
【表２】
0003788366.tif 000003
【００３９】
【表３】
0003788366.tif 000004
【００４０】
上述のようにして音声メモリ１４に設けた複数のボックスに所望の報知音を録音し、パターンＰ１，Ｐ２の方向Ｄ１，Ｄ２における報知音として、各ボックスに録音された報知音を選択できるのであるが、リモコン設定器５０の操作キーＫ３３を用いて出力パターンをパターンＰ１とパターンＰ２とに交互に切り替えることができる。リモコン設定器５０の操作キーＫ３３を押すと、制御部５１は送信部５３から出力パターンを反転させる信号を送信させる。この信号をスピーカ本体１０の受信部１５が受信すると、制御部１１が、受信部１５の受信した信号に基づいて再生する報知音の出力パターンをパターンＰ１又はＰ２に交互に切り替えており、方向Ｄ１及び方向Ｄ２の報知音を１セットで切り替えることができる。尚、リモコン設定器５０の操作キーＫ３３を用いる代わりに、スピーカ本体１０のパターン切替スイッチＳ２を用いてパターンを切り替えることもでき、パターン切替スイッチＳ２の操作釦３２を押す毎にパターンＰ１又はＰ２に交互に切り替えることができる。
【００４１】
また更に、スピーカ本体１０の設定状態をリモコン設定器５０の操作キーＫ３６を用いて確認することができる。設定確認時には、先ずリモコン設定器５０の操作キーＫ３１を押して、リモコン設定器５０から再生モードに切り替える信号を送信させる。スピーカ本体１０では、この信号を受けて制御部１１が動作モードを再生モードに切り替えるとともに、発光ダイオードＬＤ２をオレンジ色で発光させる。この状態でリモコン設定器５０の操作キーＫ３６（第１の操作手段）を押すと、制御部５１は送信部５３から設定状態を確認する設定確認信号を送信させる。この設定確認信号をスピーカ本体１０の受信部１５が受信すると、制御部１１が、録再回路１３を制御し、「現在の動作環境の確認をします」という音声メッセージに続けて、方向Ｄ１のときの報知音と、方向Ｄ２のときの報知音とをスピーカＳＰから出力させ、さらに連続鳴動機能がオンの場合は「連続鳴動オンです」、オフの場合は「連続鳴動オフです」という音声メッセージをスピーカＳＰから出力させる。なお、方向Ｄ１又はＤ２の報知音として無音が設定されている場合には、録再回路１３は「無音です」というメッセージをスピーカＳＰから出力させている。そして、設定状態を確認した後にリモコン設定器５０の操作キーＫ３１を押すと、リモコン設定器５０から通常モードに切り替える信号が送信され、この信号を受けてスピーカ本体１０の制御部１１が動作モードを通常モードに切り替える。このように、リモコン設定器５０を用いて現在の報知音の設定を確認することができるので、スピーカ本体１０が天井や壁面などの高所に設置されている場合でも確認作業を容易に行うことができる。
【００４２】
また、リモコン設定器５０を用いて各ブロックに録音されている報知音を実際に鳴動させて確認することもできる。ケース２０が取付ベース２３に保持されている場合は、モード切替スイッチＳ１により動作モードを通常モードに切り替えた後、リモコン設定器５０の操作キーＫ３１を押すと、リモコン設定器５０から再生モードに切り替える信号が送信され、この信号を受けてスピーカ本体１０の制御部１１が動作モードを再生モードに切り替えるとともに、発光ダイオードＬＤ２をオレンジ色で発光させる。また、ケース２０を取付ベース２３から取り外して電池駆動させた場合には、スピーカ本体１０の動作モードが自動的に再生モードに切り替えられる。このようにスピーカ本体１０の動作モードを再生モードに切り替えられた状態で、リモコン設定器５０の何れかの操作キーＫ１〜Ｋ１２（第２の操作手段）を押操作すると対応するブロック番号の報知音を再生させる報知音再生信号が送信部５３から送信される。この報知音再生信号をスピーカ本体１０の受信部１５が受信すると、制御部１１が録再回路１３を用いて指定された登録番号の報知音を再生させ、スピーカＳＰから出力させており、各ブロックに録音されている音声信号の内容をリモコン設定器５０を用いて確認することができる。そして、設定状態を確認した後にリモコン設定器５０の操作キーＫ３１を押すと、リモコン設定器５０から通常モードに切り替える信号が送信され、この信号を受けてスピーカ本体１０の制御部１１が動作モードを通常モードに切り替える。なお、リモコン設定器５０の背面に図１３に示すようなシール６１を貼り付けて、１〜１２番のボックスに録音された音の種類を表示することにより、目で見て確認できるようにしても良い。
【００４３】
また、リモコン設定器５０の操作キーＫ３２により連続鳴動機能をオン／オフすることができる。操作キーＫ３２を押操作すると、リモコン設定器５０から連続鳴動機能をオン又はオフさせる信号が送信され、この信号を受けてスピーカ本体１０の制御部１１が連続鳴動機能をオン又はオフする。ここに、連続鳴動機能がオフされると、人体を１度検知して報知音を出力した場合、一定時間内（例えば約２０秒以内）は報知音を出力しなくなるので、複数の人間が連続して出入りする場合や人が立ち止まった場合に報知音が鳴り続けるのを防止できる。
【００４４】
また、リモコン設定器５０の操作キーＫ３４，Ｋ３５又はスピーカ本体１０のスイッチＳ３，Ｓ４を用いてスピーカＳＰの音量を変化させることができる。スピーカＳＰの音量は無音状態を含めて７段階に切り替えることができる。動作モードが通常モードに設定されている状態で、操作キーＫ３４又はスイッチＳ３を１回押操作すると、録再回路１３は１段階大きな音量で現在選択されているパターンの両方向の報知音をスピーカＳＰから出力させ、操作キーＫ３５又はスイッチＳ４を１回押操作すると、録再回路１３は１段階小さな音量で現在選択されているパターンの両方向の報知音をスピーカＳＰから出力させる。一方、動作モードが再生モードに設定されている状態で、操作キーＫ３４又はスイッチＳ３を１回押操作すると、録再回路１３は最後に出力した報知音を１段階大きな音量でスピーカＳＰから出力させ、操作キーＫ３５又はスイッチＳ４を１回押操作すると、録再回路１３は最後に出力した報知音を１段階小さな音量でスピーカＳＰから出力させる。なお、スピーカＳＰの音量の最大値は、ユーザが録音した報知音を約８５ｄＢ以上の音量で再生できるような音量に設定されている。
【００４５】
以上説明したように、本実施形態の人体検知機能付スピーカ装置では、人体を検知していない場合でも、リモコン設定器５０を用いて報知音などの設定状態や、音声メモリ１４に記憶された報知音を音声で出力させることができるから、確認作業を容易に行えるという利点がある。また、スピーカ本体１０は一般に天井面や壁面などの高所に設置されているが、リモコン設定器５０を用いて離れた場所から確認作業が行えるので、スピーカ本体１０を設置場所から取り外して確認作業を行う必要がなく、確認作業を容易に行えるという利点もある。
【００４６】
尚、本実施形態ではリモコン設定器５０を用いて報知音などの設定状態を確認しているが、スピーカ本体１０に設定状態を確認するためのスイッチを設け、このスイッチの操作に応じて報知音などの設定状態や、音声メモリ１４に記憶された報知音を音声で出力させるようにしても良い。
【００４７】
【発明の効果】
上述のように、請求項１の発明は、検知エリア内で人体を検知するとともに、その人体の移動方向を検知する検知手段、人体の各移動方向に対応した報知音を記憶する記憶手段、前記記憶手段に記憶された報知音を再生する再生手段、外部よりワイヤレス信号で送信される設定確認信号を受信する受信手段、及び前記検知手段が人体を検知するとその移動方向に応じた報知音を再生手段により再生させるとともに、前記受信手段が設定確認信号を受信すると記憶手段に記憶された各移動方向の報知音を再生手段により音声で出力させる制御手段を有するスピーカ本体と、記憶手段に記憶された各移動方向の報知音を再生手段から音声で出力させるための操作を行う第１の操作手段、第１の操作手段の操作に応じて外部へワイヤレス信号にて設定確認信号を送信する送信手段を有するリモコン設定器とを備え、上記記憶手段には、報知音をそれぞれ記憶する記憶ブロックが複数設けられ、各記憶ブロックに報知音を録音させる録音手段と、各記憶ブロックに記憶された報知音の中から各移動方向に対応して再生する報知音を設定する設定手段とをスピーカ本体に設けるとともに、上記リモコン設定器に、上記記憶手段の個別の記憶ブロックを指定して、当該記憶ブロックに記憶された報知音を強制的に再生させるための操作を行う第２の操作手段を設け、送信手段は、第２の操作手段の操作に応じて外部へワイヤレス信号にて報知音再生信号を送信させており、上記制御手段は、受信手段の受信した報知音再生信号に基づいて指定された記憶ブロックの報知音を再生手段により再生させることを特徴とし、リモコン設定器の第１の操作手段を操作すると、送信手段がワイヤレス信号にて設定確認信号を送信し、この設定確認信号を受信したスピーカ本体では、制御手段が、設定確認信号に応じて各移動方向の報知音を再生手段により音声で出力させているので、人体を検知していない状態でも報知音を強制的に再生でき、リモコン設定器を用いて離れた場所から報知音を音声で容易に確認できるという効果がある。
【００４８】
また更に、録音手段を用いて記憶手段の各記憶ブロックに所望の報知音を録音させることができ、且つ設定手段を用いて各記憶ブロックに録音させた報知音の中から所望の報知音を各移動方向に対応して設定できるから、使用状況に応じた報知音を再生できるという効果がある。
【００４９】
そのうえ、リモコン設定器の第２の操作手段を操作すると、送信手段がワイヤレス信号にて報知音再生信号を送信させ、この報知音再生信号を受信したスピーカ本体では、制御手段が、報知音再生信号に応じて指定された記憶ブロックの報知音を強制的に再生しているので、リモコン設定器を用いて離れた場所から記憶手段の各記憶ブロックにどのような報知音が録音されているかを容易に確認できるという効果がある。
【図面の簡単な説明】
【図１】本実施形態の人体検知機能付スピーカ装置の概略構成図である。
【図２】同上の人体検知エリアと人の移動方向との関係を説明する説明図である。
【図３】同上のリモコン設定器の正面図である。
【図４】同上のスピーカ本体を取付ベースに取り付けた状態の正面図である。
【図５】同上のスピーカ本体を取付ベースに取り付けた状態の側面図である。
【図６】同上のスピーカ本体を取付ベースに取り付けた状態の背面図である。
【図７】同上のスピーカ本体を取付ベースに取り付けた状態を右側から見た断面図である。
【図８】図４のＡ−Ａ’断面図である。
【図９】同上のスピーカ本体を示し、カバーを外した状態を前方から見た図である。
【図１０】同上のスピーカ本体を取付ベースから外した状態を後方から見た図である。
【図１１】同上の取付ベースを前方から見た図である。
【図１２】同上の要部の回路ブロック図である。
【図１３】同上のリモコン設定器に貼着するシールの説明図である。
【符号の説明】
１０  スピーカ本体
１２ａ，１２ｂ  人感センサ
１１  制御部
１３  録再回路
５０  リモコン設定器
ＳＰ  スピーカ
【図１】
0003788366.tif 000005
【図２】
0003788366.tif 000006
【図３】
0003788366.tif 000007
【図４】
0003788366.tif 000008
【図５】
0003788366.tif 000009
【図６】
0003788366.tif 000010
【図７】
0003788366.tif 000011
【図８】
0003788366.tif 000012
【図９】
0003788366.tif 000013
【図１０】
0003788366.tif 000014
【図１１】
0003788366.tif 000015
【図１２】
0003788366.tif 000016
【図１３】
0003788366.tif 000017